(57)【要約】【課題】本発明は、ゲル状又は液状の揮散容器で使用する用途に応じて開口された揮散口面積を変化させることを可能とした容器で、かつ別部品を使用することなく異なる揮散口に変化させることができる脱臭剤や芳香剤の揮散容器を提供する。【解決手段】容器本体（１１）と、大きさの異なる揮散口（１３，１４）を設けた揮散枠体（１５）を天井部に設けたオーバーキャップ（１２）からなる揮散容器（１０）で、前記オーバーキャップ（１２）胴部の上に、両端面を開口してなるトンネル状の揮散枠体（１５）を設け、この揮散枠体（１５）の側面板（１５ａ）には小揮散口（１３）と天面板（１５ｂ）には大揮散口（１４）とを設け、揮散枠体（１５）の側面板（１５ａ，１５ａ）下端部とオーバーキャップ（１２）胴部との両連結部に側辺薄肉部（Ｔｂ，Ｔｂ）と、天面板（１５ｂ）の中心部に側辺薄肉部と平行して上部薄肉部（Ｔａ）とを設けた。【選択図】図１
2004026203.tif 000002
【特許請求の範囲】
【請求項１】
所定の形状で芳香剤や脱臭剤等を充填しアルミシール等により密封してなる容器本体（１１）と、大きさの異なる揮散口（１３，１４）を設けた揮散枠体（１５）を天井部に設けたオーバーキャップ（１２）からなる揮散容器（１０）であって、
前記オーバーキャップ（１２）胴部の天井部には、両端面を開口してなるトンネル状の揮散枠体（１５）を設け、該揮散枠体（１５）の側面板（１５ａ）には小揮散口（１３）と天面板（１５ｂ）には大揮散口（１４）を設けた構成からなり、前記揮散枠体（１５）の側面板（１５ａ，１５ａ）下端部とオーバーキャップ（１２）胴部との連結部に側辺薄肉部（Ｔｂ，Ｔｂ）と、揮散枠体（１５）の天面板（１５ｂ）の中心部には側辺薄肉部と平行する位置に上部薄肉部（Ｔａ）を設けたことを特徴とする芳香剤や脱臭剤等の揮散容器。
【請求項２】
前記揮散枠体（１５）に設けた天面板（１５ｂ）の上部薄肉部（Ｔａ）を、上方より容器本体（１１）の下方中心部に向かって内側に押し込むことにより、該揮散枠体（１５）の天部が平坦面で、かつ天部に側面板（１５ａ，１５ａ）に設けた複数個の小揮散口（１３）が移動現出することを特徴とする請求項１に記載の芳香剤や脱臭剤等の揮散容器。
【請求項３】
前記容器本体（１１）の下方中心部に向かって押し込められた揮散枠体（１５）を、上方に引き上げることにより元の異なる揮散口（１３，１４）を有する揮散枠体に復元可能としたことを特徴とする請求項１又は２に記載の芳香剤や脱臭剤等の揮散容器。
【発明の詳細な説明】
【０００１】
【発明の属する技術分野】
本発明は、ゲル状、液体状等の揮散性物質を気化散逸させて脱臭や芳香を付与する容器に関し、特に同一形状にて用途、内容物により異なる揮散口面積を必要とする芳香剤や脱臭剤の揮散容器に関するものである。
【０００２】
【従来の技術】
近年、液体状或いはゲル状の芳香剤や脱臭剤を充填したガラス製やプラスチック製で、各種形状に製作された揮散容器が数多く販売されておりそれぞれの用途に応じて使用されていることは公知である。これらの揮散容器は簡単に使用できるように数々の工夫がなされているが、図示はしないが、プラスチック製等の容器本体に脱臭剤や芳香剤等の揮散性物質を充填した後、容器開口部をアルミシール等により密封し、この容器本体の上から大小の揮散口を形成したプスチック製等のオーバーキャップを嵌合した揮散容器が一般的である。
【０００３】
例えば、図５に示すように、蓋部を兼用したオーバーキャップ（３２）の側面に大きい揮散口（３３）を複数個と、天面にも大きい揮散口を複数個設けたものである。この揮散容器は内容物は同一であるが、キッチン用、下駄箱用には強力脱臭等のため大きい揮散口が必要であり、冷蔵庫用には小さい揮散口で十分である。すなわち、大きい揮散口では内容物の気化散逸が激しく内容物の減少が速いので、キッチン用や下駄箱用と、冷蔵庫用には兼用して使用することは無駄が多く難しく、それぞれ専用のオーバーキャップが必要となる問題がある。
【０００４】
【発明が解決しようとする課題】
上記に対しての問題を解決する手段として、容器本体とオーバーキャップとの間に揮散口を小さくしたプラスチックシートを設置して揮散速度を調整する方法が提案されているが、これではプラスチックシートを別途製造しセットしなければならないというコスト的にデメリットが生じる。
そこで本発明は、上記の問題を解決するために、ゲル状又は液状の揮散容器で使用する用途に応じて開口された揮散口面積を変化させることを可能とした容器で、かつ別部品を使用することなく異なる揮散口に変化させることができる脱臭剤や芳香剤の揮散容器を提供するものである。
【０００５】
【課題を解決するための手段】
上記目的を達成するために、請求項１においては、所定の形状で芳香剤や脱臭剤等を充填してなる容器本体（１１）と、大きさの異なる揮散口（１３，１４）を設けた揮散枠体（１５）を天井部に設けたオーバーキャップ（１２）とからなる揮散容器（１０）であり、前記オーバーキャップ（１２）胴部の天井部には、両端面を開口してなるトンネル状の揮散枠体（１５）を設け、該揮散枠体（１５）の側面板（１５ａ）には小揮散口（１３）と天面板（１５ｂ）には大揮散口（１４）を設け、前記揮散枠体（１５）の側面板（１５ａ，１５ａ）下端部とオーバーキャップ（１２）胴部との連結部に側辺薄肉部（Ｔｂ，Ｔｂ）と、揮散枠体（１５）の天面板（１５ｂ）の中心部に側辺薄肉部と平行して上部薄肉部（Ｔａ）を設けたことを特徴とする芳香剤や脱臭剤等の揮散容器である。
【０００６】
請求項２は、請求項１に記載の芳香剤や脱臭剤等の揮散容器において、前記揮散枠体（１５）に設けた天面板（１５ｂ）の上部薄肉部（Ｔａ）を、上方より容器本体（１１）の下方中心部に向かって内側に押し込むことにより、該揮散枠体（１５）の天部が平坦面で、かつ天部に側面板に設けた複数個の小揮散口（１３）が移動現出する揮散枠体を特徴とするものである。
【０００７】
請求項３は、請求項１又は２に記載の芳香剤や脱臭剤等の揮散容器において、前記容器本体（１１）の下方中心部に向かって押し込められた揮散枠体（１５）を、上方に引き上げることにより元の異なる揮散口（１３，１４）を有する揮散枠体に復元可能としたことを特徴とするものである。
【０００８】
【発明の実施の形態】
本発明の芳香剤や脱臭剤等の揮散容器は、容器本体（１１）と、大きさの異なる揮散口（１３，１４）を設けた揮散枠体（１５）を天井部に設けたオーバーキャップ（１２）からなる揮散容器（１０）で、前記オーバーキャップ（１２）胴部の上に、両端面を開口してなるトンネル状の揮散枠体（１５）を設け、この揮散枠体（１５）の側面板（１５ａ）には小揮散口（１３）と天面板（１５ｂ）には大揮散口（１４）とを設け、さらに、揮散枠体（１５）の側面板（１５ａ，１５ａ）下端部とオーバーキャップ（１２）胴部との両連結部に側辺薄肉部（Ｔｂ，Ｔｂ）と、天面板（１５ｂ）の中心部に側辺薄肉部と平行する位置に上部薄肉部（Ｔａ）を設けたことを特徴とするものである。
【０００９】
また、前記揮散枠体（１５）に設けた天面板（１５ｂ）の上部薄肉部（Ｔａ）を、上方より容器本体（１１）の下方中心部に向かって押し込むことにより、該揮散枠体（１５）の天部が平坦面で、かつ天部に複数個の小揮散口（１３）が移動現出する揮散枠体に変化させることができる。さらに、下方中心部に向かって内側に押し込められた揮散枠体（１５）を、上方に引き上げることにより元の異なる揮散口（１３，１４）を有する揮散枠体に復元させることができるので、使用する場所、用途に応じて大きさの異なる揮散口に変化させることを可能とした芳香剤や脱臭剤等の揮散容器を提供するものである。
【００１０】
【実施例】
図１は、本発明の一実施例における揮散容器を示す概略説明図である。また、図２は、揮散容器のＮ−Ｎ断面図である。また、図３は、本発明の揮散容器のオーバーキャップにおける揮散枠体を変化させた状態を示す断面説明図であり、図４は、揮散枠体を変化させた後のオーバーキャップ天井部を示す斜視図で表した概略説明図である。
【００１１】
本発明は、ゲル状又は液状の芳香剤や脱臭剤等の揮散容器であり、使用する場所や用途に応じて開口された揮散口面積を別部品を使用することなく異なる揮散口に変化させることができる容器を提供するものである。
【００１２】
本発明の実施例における芳香剤や脱臭剤等の揮散容器は、全体がプラスチック製で、所定の形状でゲル状又は液状の芳香剤や脱臭剤等を充填してなる容器本体（１１）と、大きさの異なる（開口面積）揮散口（１３，１４）を設けた揮散枠体（１５）を天井部に設けたオーバーキャップ（１２）を容器本体に嵌合してなる揮散容器（１０）である。
先ず、ゲル状又は液状の芳香剤や脱臭剤等を充填した容器本体（１１）の開口部を液漏れ防止のアルミシール等で密封（図示はしない）して、図１に示すように、この上からオーバーキャップ（１２）を嵌め込むもので、このオーバーキャップ胴部の天井部には、両端面を開口してなるトンネル状の揮散枠体（１５）を設けたものである。また、この揮散枠体（１５）の両側面板（１５ａ，１５ａ）には長孔状の複数個の小揮散口（１３）と、この最上部の天面板（１５ｂ）には方形状等任意の形状の小揮散口より面積が広い大揮散口（１４）が設けられている。なお、大小の揮散口の形状は限定されるものではなく、またそれぞれの開口の大きさも任意に選択することができる。
さらに、図２の断面図に示すように、この揮散枠体（１５）の両側面板（１５ａ，１５ａ）下端部とオーバーキャップ（１２）胴部との連結部には側辺薄肉部（Ｔｂ，Ｔｂ）を、また揮散枠体（１５）の天面板（１５ｂ）の中心部には側辺薄肉部と平行する位置に上部薄肉部（Ｔａ）を設けた構成の揮散容器である。
【００１３】
次に、この揮散枠体を変化させることにより用途に応じて必要な揮散口に変化させるもので、図３に示すように、前記揮散枠体（１５）の天井部に設けた複数個の大揮散口（１４）を形成した天面板（１５ｂ）の上部薄肉部（Ｔａ）を、上方より容器本体（１１）の下方中心部に向かって内側に強く押し込むことにより、揮散枠体（１５）の側辺薄肉部（Ｔｂ，Ｔｂ）が連結部に沿って内側に折れ曲がると共に、天面板（１５ｂ）が中央部の上部薄肉部で二つに合わされてオーバーキャップの胴部内に収納される。そして揮散枠体は天部が平坦面で、かつ天部には揮散枠体の両側辺に設けた複数個の小揮散口（１３）が移動現出した状態になる（図４を参照）。なお、変化させる際に上部薄肉部（Ｔａ）に沿って手で押し込むこともできるが、例えば細い丸鉄棒等を当てて押し込むと容易に変化させることができる。
【００１４】
次いで、図示はしないが、前記容器本体（１１）の下方中心部に向かって押し込められた揮散枠体（１５）を、上方に引き上げることにより元の異なる揮散口（１３，１４）を有する揮散枠体に復元可能となる。但し、天面板（１５ｂ）の上部薄肉部（Ｔａ）部分は切れて二つに割れた状態となる場合があるが、芳香や脱臭の効果には影響されない。すなわち、下駄箱やキッチン等に使用する場合には、強力な揮散速度による脱臭や芳香を必要とするので、大小の異なる揮散口を備えた揮散容器として、冷蔵庫等の狭い箇所に使用する場合は気化揮散速度を調整する小揮散口に変化させた揮散容器を使用すれば効果的である。
【００１５】
【発明の効果】
本発明は以上の構成であるから、下記に示す如き効果がある。
すなわち、オーバーキャップ上に設けた異なる大きさの揮散口を有する揮散枠体の天面板に設けた上部薄肉部から天面板をキャップ胴部、容器本体の下部方向の内側に押し込むことで、揮散枠体の天部が平坦になり、かつ両側面板に設けた小揮散口が天部に移動して現出することになる。従って、使用する場所に応じて小さい揮散口や大きい揮散口に変化させることができる揮散容器が得られるものであり、別部品を用いることなく揮散口面積を変化させて気化揮散速度を調整することができるので経済的であり、また揮散容器のコストダウンが可能となる等の優れた効果を奏する。
【図面の簡単な説明】
【図１】本発明の一実施例における揮散容器を示す概略説明図である。
【図２】上記揮散容器のＮ−Ｎ断面図である。
【図３】本発明の揮散容器のオーバーキャップにおける揮散枠体を変化させた状態を示す断面説明図である。
【図４】本発明の一実施例を示すもので揮散枠体を変化させた後のオーバーキャップ天面部の状態を示す斜視図で表した概略説明図である。
【図５】従来における大揮散口を有するオーバーキャップの一例を示す概略説明図である。
【符号の説明】
１０……揮散容器
１１……容器本体
１２，３２……オーバーキャップ（胴部）
１３……小揮散口
１４，３３……大揮散口
１５……揮散枠体
１５ａ…側面板
１５ｂ…天面板
Ｔａ……上部薄肉部
Ｔｂ……側辺薄肉部
【図１】
2004026203.tif 000003
【図２】
2004026203.tif 000004
【図３】
2004026203.tif 000005
【図４】
2004026203.tif 000006
【図５】
2004026203.tif 000007